(57)【要約】【課題】原稿密着型の画像読み取り装置において、簡素かつ低コストな構成でありながらも、原稿台の端縁に沿って載置された原稿の端縁部の画像を含めて読み取り可能とする。【解決手段】密着型イメージセンサ３を副走査方向に誘導するシャフト６の両端を主走査方向Ａに移動させるシャフト移動機構１０を備える。原稿台２の端縁に沿って載置された原稿の端縁部の画像を読み取る端縁読み取りモードにおいて、シャフト移動機構１０によってシャフト６を主走査方向Ａに移動させる。これにより、原稿の端縁部の画像が読み取り可能となる。【選択図】図２
2007214854.tif 000002
【特許請求の範囲】
【請求項１】
原稿が載置される透光性を有する原稿台と、この原稿台に載置された原稿に対して主走査方向の所定の範囲に光を照射してその反射光を受光しながら副走査方向に移動し、原稿の画像を読み取る密着型画像読み取り手段と、副走査方向に平行に配設され、前記密着型画像読み取り手段を副走査方向に誘導する誘導部材とを備えた画像読み取り装置において、
前記誘導部材を主走査方向に移動させる誘導部材移動機構をさらに備え、
前記誘導部材移動機構は、ユーザによって操作されるレバー部材と、このレバー部材の動作と連動して前記誘導部材と平行な回動軸を中心として回動される回動部材と、この回動部材に対して回動自在に連結され、該回動部材の回動と連動して交互に往復移動されて、前記誘導部材の側面と当接し、該誘導部材を走査方向に移動させる一対の板状部材とを有し、
前記レバー部材がユーザによって操作されることにより、いずれか一方の板状部材が前記誘導部材と当接し、前記誘導部材が主走査方向に移動され、これにより、前記密着型画像読み取り手段が主走査方向に移動され、
前記原稿台の端縁に沿って載置された原稿の端縁部の画像を読み取り可能としたことを特徴とする画像読み取り装置。
【請求項２】
原稿が載置される透光性を有する原稿台と、この原稿台に載置された原稿に対して主走査方向の所定の範囲に光を照射してその反射光を受光しながら副走査方向に移動し、原稿の画像を読み取る密着型画像読み取り手段と、副走査方向に平行に配設され、前記密着型画像読み取り手段を副走査方向に誘導する誘導部材とを備えた画像読み取り装置において、
前記誘導部材を主走査方向に移動させる誘導部材移動機構をさらに備え、
前記誘導部材移動機構によって前記密着型画像読み取り手段が主走査方向に移動されることにより、
前記原稿台の端縁に沿って載置された原稿の端縁部の画像を読み取り可能としたことを特徴とする画像読み取り装置。
【請求項３】
前記誘導部材移動機構は、ユーザによって操作されるレバー部材と、このレバー部材の動作と連動して回動される回動部材と、この回動部材に連結され、該回動部材の回動と連動して交互に往復移動されて、前記誘導部材を走査方向に移動させる一対の軸移動部材とを有し、
前記レバー部材がユーザによって操作されることにより、
前記回動部材及び軸移動部材を介して前記誘導部材が主走査方向に移動され、これにより、前記密着型画像読み取り手段が主走査方向に移動されることを特徴とする請求項２に記載の画像読み取り装置。
【発明の詳細な説明】
【技術分野】
【０００１】
本発明は、原稿台に載置された原稿の画像を読み取って電子データに変換する画像読み取り装置に関するものである。
【背景技術】
【０００２】
従来から、透明の原稿台に密着するように載置された原稿に光を照射してその反射光を電気信号に変換することにより、画像を読み取る原稿密着型の画像読み取り装置が存在する。このような原稿密着型の画像読み取り装置においては、ＣＩＳ（Contact Image Sensor）と称される密着型イメージセンサが用いられている。量産用の密着型イメージセンサの仕様は、予め規格化されており、その画像読み取り部の幅寸法は、通常、原稿台カバーの縁を読み取らないようにするため、原稿台の幅寸法よりも１ｍｍ程度狭く設定されている。従って、原稿台の端縁（原稿台とイメージスキャナの筐体との段差）に沿って原稿を載置した場合、原稿の端縁部（原稿台の端縁に沿う側）約１ｍｍの部分の画像を読み取ることができない。そのため、原稿の端縁部の画像をも含めて読み取りたい場合には、ユーザは、原稿台の端縁から原稿をずらして載置する必要があるが、この場合、使い勝手が悪化するだけでなく、原稿台の端縁に原稿を沿わせて載置することができないため、原稿を正しい姿勢で載置することが困難となる。
【０００３】
なお、特許文献１及び特許文献２には、縮小光学系の画像読み取り装置における原稿の位置ずれを補正する機構が示されている。このうち、特許文献１に示された画像読み取り装置は、イメージセンサを変位させる構成であり、特許文献２に示された画像読取装置は、原稿台を変位させる構成である。
【特許文献１】特開昭５５−１３０２６９号公報
【特許文献２】特開昭５５−１３８７３６号公報
【発明の開示】
【発明が解決しようとする課題】
【０００４】
上述したように、従来の原稿密着型の画像読み取り装置においては、原稿の端縁部の画像を読み取るために、ユーザは、原稿を原稿台の端縁からずらして載置する必要があり、使い勝手が悪いばかりか、原稿を性格に位置決めすることが困難であるという問題がある。もっとも、従来の原稿密着型の画像読み取り装置においても、原稿台の幅寸法と同等の画像読み取り幅を有する、標準仕様とは異なる密着型イメージセンサを用いることにより、原稿台の端縁にそって載置された原稿の端縁部の画像を読み取ることが可能であるが、このような特注品の密着型イメージセンサは、コストが嵩み、コンシューマ向けの安価な画像読み取り装置には適さない。また、特許文献１に示された構成は、縮小光学系のイメージセンサを変位させるものであることから、原稿密着型の画像読み取り装置に適用することができない。さらに、特許文献２に示された構成は、原稿台を変位させるために３つのモータが必要とされるため、やはり、画像読み取り装置のコストアップを免れない。
【０００５】
本発明は、上記課題を解決するためになされたものであり、簡素かつ低コストな構成でありながらも、原稿台の端縁に沿って載置された原稿の端縁部の画像を含めて読み取ることができる原稿密着型の画像読み取り装置を提供することを目的とする。
【課題を解決するための手段】
【０００６】
上記目的を達成するために請求項１の発明は、原稿が載置される透光性を有する原稿台と、この原稿台に載置された原稿に対して主走査方向の所定の範囲に光を照射してその反射光を受光しながら副走査方向に移動し、原稿の画像を読み取る密着型画像読み取り手段と、副走査方向に平行に配設され、密着型画像読み取り手段を副走査方向に誘導する誘導部材とを備えた画像読み取り装置において、誘導部材を主走査方向に移動させる誘導部材移動機構をさらに備え、誘導部材移動機構は、ユーザによって操作されるレバー部材と、このレバー部材の動作と連動して誘導部材と平行な回動軸を中心として回動される回動部材と、この回動部材に対して回動自在に連結され、該回動部材の回動と連動して交互に往復移動されて、誘導部材の側面と当接し、該誘導部材を走査方向に移動させる一対の板状部材とを有し、レバー部材がユーザによって操作されることにより、いずれか一方の板状部材が誘導部材と当接し、誘導部材が主走査方向に移動され、これにより、密着型画像読み取り手段が主走査方向に移動され、原稿台の端縁に沿って載置された原稿の端縁部の画像を読み取り可能としたものである。
【０００７】
請求項２の発明は、原稿が載置される透光性を有する原稿台と、この原稿台に載置された原稿に対して主走査方向の所定の範囲に光を照射してその反射光を受光しながら副走査方向に移動し、原稿の画像を読み取る密着型画像読み取り手段と、副走査方向に平行に配設され、密着型画像読み取り手段を副走査方向に誘導する誘導部材とを備えた画像読み取り装置において、誘導部材を主走査方向に移動させる誘導部材移動機構をさらに備え、誘導部材移動機構によって密着型画像読み取り手段が主走査方向に移動されることにより、原稿台の端縁に沿って載置された原稿の端縁部の画像を読み取り可能としたものである。
【０００８】
請求項３の発明は、請求項２に記載の画像読み取り装置において、誘導部材移動機構は、ユーザによって操作されるレバー部材と、このレバー部材の動作と連動して回動される回動部材と、この回動部材に連結され、該回動部材の回動と連動して交互に往復移動されて、誘導部材を走査方向に移動させる一対の軸移動部材とを有し、レバー部材がユーザによって操作されることにより、回動部材及び軸移動部材を介して誘導部材が主走査方向に移動され、これにより、密着型画像読み取り手段が主走査方向に移動されるものである。
【発明の効果】
【０００９】
請求項１の発明によれば、誘導部材移動機構によって密着型画像読み取り手段が主走査方向に移動されるので、安価な標準仕様の密着型画像読み取り手段を用いながらも、原稿台の端縁に沿って載置された原稿の端縁部の画像を読み取り可能となり、ユーザの使い勝手が高められる。また、レバー部材、回動部材、及び板状部材によって、誘導部材移動機構が構成されるので、特許文献２に示された画像読み取り装置のように、装置内部にモータを組み込む必要がない。これにより、簡素な構成で安価な画像読み取り装置を提供することができる。また、誘導部材との側面に板状部材を当接させることにより、誘導部材を主走査方向に移動させる構成としているので、板状部材の厚み寸法で誘導部材の移動量が決定される。ここで、一般に、板状部材は、個体差による厚み寸法のバラつきが極めて小さいので、容易に誘導部材を精度よく位置決めすることができる。これにより、画像の読み取り精度を高めることができる。
【００１０】
請求項２の発明によれば、誘導部材移動機構によって密着型画像読み取り手段が主走査方向に移動されるので、安価な標準仕様の密着型画像読み取り手段を用いながらも、原稿台の端縁に沿って載置された原稿の端縁部の画像を読み取り可能となり、ユーザの使い勝手が高められる。
【００１１】
請求項３の発明によれば、レバー部材、回動部材、及び軸移動部材によって、誘導部材移動機構が構成されるので、特許文献２に示された画像読み取り装置のように、装置内部にモータを組み込む必要がない。これにより、簡素な構成で安価な画像読み取り装置を提供することができる。
【発明を実施するための最良の形態】
【００１２】
本発明の実施形態による画像読み取り装置について図面を参照して説明する。図１は画像読み取り装置を示している。画像読み取り装置１は、原稿台２に密着するように載置された原稿に光を照射してその反射光を電気信号に変換することにより、原稿の画像を読み取る密着型イメージセンサ（密着型画像読み取り手段）３を備えた、いわゆるＣＩＳ型のイメージスキャナである。
【００１３】
画像読み取り装置１は、透光性を有する原稿台２と、原稿台２に載置された原稿に対して主走査方向Ａの所定の範囲に光を照射してその反射光を受光しながら副走査方向Ｂに移動し、原稿の画像を読み取る密着型イメージセンサ３と、密着型イメージセンサ３を副走査方向Ｂに駆動するイメージセンサ駆動機構、密着型イメージセンサ３によって読み取られた画像の画像データを記憶するメモリ、各部の制御を司る制御部等によって構成されている。また、画像読み取り装置１は、副走査方向Ｂに平行に配設され、密着型イメージセンサ３を副走査方向Ｂに誘導するシャフト（誘導部材）６と、シャフト６を主走査方向Ａに移動させるシャフト移動機構（誘導部材移動機構）１０をさらに有している。
【００１４】
密着型イメージセンサ３、シャフト６及びシャフト移動機構１０は、筐体７に収容されている。また、原稿台２は、筐体７によって支持されている。
【００１５】
本実施形態の画像読み取り装置１は、原稿台２の端縁に沿って載置された原稿の端縁部の画像を読み取り可能とするために、シャフト６と共に密着型イメージセンサ３を主走査方向Ａに移動させる機能を有している。
【００１６】
図２は、シャフト移動機構１０によって密着型イメージセンサ３が主走査方向Ａ１に１ｍｍ程度移動された後の画像読み取り装置１を示している。シャフト６と共に密着型イメージセンサ３を主走査方向Ａ１に移動させる際には、原稿台２に対する密着型イメージセンサ３の姿勢を変えないように、シャフト６は平行に移動されなければならない。そこで、シャフト移動機構１０は、シャフト６の両端部に設けられ、シャフト６の両端を主走査方向Ａ１に同一の距離だけ移動させるように構成されている。
【００１７】
図３乃至図５は、シャフト移動機構１０の具体的構成を示している。シャフト移動機構１０は、シャフト６の両端部を支持するシャフト支持部１１と、各シャフト支持部１１ごと（シャフト６の端部ごと）に１対ずつ、計４本設けられ、ユーザによって適宜押圧操作されるレバー部材１２（１２ａ、１２ｂ）と、レバー部材１２の動作と連動して回動される回動部材１３と、回動部材１３の回動と連動して交互に往復移動されて、シャフト６の側面と当接される板状部材１４等によって構成されている。
【００１８】
シャフト支持部１１は、筐体７の一部を構成し、シャフト６の両端部に設けられている。シャフト６は、両端部において、シャフト支持部１１によって支持されており、画像読み取り装置１の厚み方向（矢印Ｇ方向）には移動できないが、主走査方向Ａ（Ａ０又はＡ１）には、１〜１．５ｍｍ程度移動可能とされている。
【００１９】
各レバー部材１２ａ、１２ｂは、シャフト６の軸方向から視て（図４（ｂ）、図５（ｂ）参照）、シャフト６を挟むように配置されている。各レバー部材１２ａ、１２ｂは、筐体７等によって矢印Ｇ方向に移動自在に支持されており、その先端は、回動部材１３に回動自在に連結されている。
【００２０】
回動部材１３は、筐体７等によって、シャフト６と平行な回動軸を中心として矢印Ｃ又はＤ方向に回動自在に支持されている。板状部材１４は、各シャフト支持部１１ごとに１対ずつ設けられている。各板状部材１４ａ、１４ｂは、回動部材１３に対して回動自在に連結されており、回動部材１３の回動に伴って、いずれか一方がシャフト６とシャフト支持部１１との間に挿入され、シャフト６を主走査方向Ａ０又はＡ１に移動させる。
【００２１】
以下、図４及び図５を参照して、シャフト移動機構１０の動作について説明する。図４に示すように、ユーザによってレバー部材１２ａが押し下げられると、回動部材１３が矢印Ｃ方向に回動される。これに伴い、板状部材１４ｂが上昇されてシャフト６とシャフト支持部１１との間に挿入されると共に、板状部材１４ａが下降される。これにより、シャフト６は、主走査方向Ａ０に移動される。このとき、密着型イメージセンサ３は、図１に示す状態となり、画像読み取り装置１は、通常どおり、原稿台２の端縁から１ｍｍ程度内側の画像を読み取る（通常読み取りモード）。
【００２２】
一方、ユーザによってレバー部材１２ｂが押し下げられると、回動部材３が矢印Ｄ方向に回動される。これに伴い、板状部材１４ａが上昇されてシャフト６とシャフト支持部１１との間に挿入されると共に、板状部材１４ｂが下降される。これにより、シャフト６は、主走査方向Ａ１に移動される。このとき、密着型イメージセンサ３は、図２に示す状態となり、画像読み取り装置１は、原稿台２の端縁から画像を読み取る（端縁読み取りモード）。これにより、原稿台２の端縁に沿って載置された原稿の端縁の画像を読み取ることができる。なお、この状態から通常読み取りモードに戻したい場合には、ユーザは、レバー部材１２ａを押し下げればよい。
【００２３】
図６乃至図８は、上記シャフト移動機構１０とは別のシャフト移動機構２０の構成を示している。シャフト移動機構２０は、シャフト６と略同軸に設けられた回動軸を中心として回動自在なレバー部材２２と、レバー部材２２の先端が連結される回動部材２３とを備えている点においてシャフト移動機構１０とは異なる。レバー部材２２は、シャフト６の両端部に１本ずつ設けられている。回動部材２３は、筐体７等によって、シャフト６と平行な回動軸を中心として矢印Ｃ又はＤ方向に回動自在に、かつ矢印Ｇ方向に往復移動自在に支持されている。また、回動部材２３の端面には、レバー部材２２の先端に設けられているボスが係合される係合溝２３ａが形成されている。係合溝２３ａは、レバー部材２２の回動と連動して、回動部材２３を矢印Ｇ方向に往復移動させるために、矢印Ｇ方向に凸状に湾曲されている。
【００２４】
以下、図７及び図８を参照して、シャフト移動機構２０の動作について説明する。図７に示すように、ユーザによってレバー部材２２が矢印Ｅ方向に倒されると、回動部材３が矢印Ｃ方向に回動される。これに伴い、板状部材１４ｂが上昇されてシャフト６とシャフト支持部１１との間に挿入されると共に、板状部材１４ａが下降される。これにより、シャフト６は、主走査方向Ａ１に移動される。このとき、密着型イメージセンサ３は、図１に示す状態となり、画像読み取り装置１は、通常読み取りモードで原稿台２の端縁から１ｍｍ程度内側の画像を読み取る。
【００２５】
一方、ユーザによってレバー部材２２が矢印Ｆ方向に倒されると、回動部材３が矢印Ｄ方向に回動される。これに伴い、板状部材１４ａが上昇されてシャフト６とシャフト支持部１１との間に挿入されると共に、板状部材１４ｂが下降される。これにより、シャフト６は、主走査方向Ａ２に移動される。このとき、密着型イメージセンサ３は、図２に示す状態となり、画像読み取り装置は、端縁読み取りモードで原稿台２の端縁から画像を読み取る。
【００２６】
以上のように、本実施形態の画像読み取り装置１によれば、シャフト移動機構１０又は２０によって密着型イメージセンサ３が主走査方向Ａに移動されるので、安価な標準仕様の密着型イメージセンサ３を用いながらも、原稿台２の端縁に沿って載置された原稿の端縁部の画像を読み取り可能となり、ユーザの使い勝手が高められる。また、シャフト移動機構１０又は２０を、レバー部材１２又は２２、回動部材１３又は２３、及び板状部材１４によって構成することができるので、特許文献２に示された画像読み取り装置のように、装置内部にモータを組み込む必要がない。これにより、簡素な構成で安価な画像読み取り装置を提供することができる。また、シャフト６の側面に板状部材１４を当接させることにより、シャフト６を主走査方向Ａに移動させる構成としているので、板状部材１４の厚み寸法でシャフト６の移動量が決定される。ここで、一般に、板状部材１４は、個体差による厚み寸法のバラつきが極めて小さいので、容易にシャフト６を精度よく位置決めすることができる。これにより、画像の読み取り精度を高めることができる。
【００２７】
なお、本発明は上記実施形態の構成に限られることなく、少なくとも密着型イメージセンサ３を副走査方向に誘導するシャフト６を主走査方向Ａに移動させるシャフト移動機構を備えていればよい。また、本発明は種々の変形が可能であり、例えば、密着型イメージセンサ３を誘導するシャフト６に換えて、板金や樹脂成形により形成されたレール状の誘導部材を用いてもよい。
【図面の簡単な説明】
【００２８】
【図１】本発明の一実施形態による画像読み取り装置の構成を示す平面図。
【図２】同装置の端縁読み取りモードにおける状態を示す平面図。
【図３】同装置に適用されるシャフト移動機構の構成を示す正面図。
【図４】（ａ）は通常読み取りモードにおける同機構の平面図、（ｂ）は同側面図。
【図５】（ａ）は端縁読み取りモードにおける同機構の平面図、（ｂ）は同側面図。
【図６】同装置に適用される別のシャフト移動機構の構成を示す正面図。
【図７】（ａ）は通常読み取りモードにおける同機構の平面図、（ｂ）は同側面図。
【図８】（ａ）は端縁読み取りモードにおける同機構の平面図、（ｂ）は同側面図。
【符号の説明】
【００２９】
１    画像読み取り装置
２    原稿台
３    密着型イメージセンサ（密着型画像読み取り手段）
６    シャフト（誘導部材）
１０    シャフト移動機構（誘導部材移動機構）
１２    レバー部材
１３    回動部材
１４    板状部材
【図１】
2007214854.tif 000003
【図２】
2007214854.tif 000004
【図３】
2007214854.tif 000005
【図４】
2007214854.tif 000006
【図５】
2007214854.tif 000007
【図６】
2007214854.tif 000008
【図７】
2007214854.tif 000009
【図８】
2007214854.tif 000010